(57)【要約】【課題】  ドアに設けられた太陽電池の発電でドアの開閉を行うことができる自動ドアシステムを提供すること。【解決手段】  建造物の壁面部Ａに形成された開口Ａ’に、固定ドア１２，１３と、固定ドア１２，１３に対して進退することにより出入口を開閉する可動ドア１４，１５とを備えた自動ドアシステム１０を設置した。そして、固定ドア１２，１３を、複数のセル２１を備えた太陽電池２０と、太陽電池２０を支持する固定ドア本体１２ｄで構成し、太陽電池２０を、固定ドア１２，１３の前方に対して傾斜させた状態で固定ドア本体１２ｄに設置した。また、可動ドア１４，１５が駆動機構２６の駆動によって移動するようにするとともに、太陽電池２０が発生する電気をバッテリ３２に充電し、この電気を駆動機構２６の駆動電力として利用するようにした。【選択図】  図１
2015113559.tif 000002
【特許請求の範囲】
【請求項１】
建造物の壁面部に形成された開口に設置されて出入口を形成する自動ドアシステムであって、
受光面を有する複数のセルを備えた太陽電池と、前記太陽電池を支持する固定ドア本体を備え、前記開口の一方に設置される固定ドアと、
前記固定ドアに対して進退することにより前記出入口を開閉する可動ドアと、
前記可動ドアを移動させる駆動機構と、
前記太陽電池が発生する電気を充電しその充電した電気を前記駆動機構の駆動電力として供給するバッテリとを備え、
前記太陽電池が、前記受光面を前記固定ドアの前方に対して傾斜させた状態で前記固定ドア本体に設置されていることを特徴とする自動ドアシステム。
【請求項２】
前記太陽電池を、前記複数のセルの少なくとも受光面を透明の保護材で被覆して構成した請求後１に記載の自動ドア。
【請求項３】
前記固定ドアと前記可動ドアの上部と、前記開口の上縁部との間に前記駆動機構を配置する駆動機構配置部を設けて、前記駆動機構配置部の外面に太陽電池を設置した請求項１または２に記載の自動ドアシステム。
【請求項４】
前記可動ドアを、太陽電池と、この太陽電池を支持する可動ドア本体で構成した請求項１ないし３のうちのいずれか一つに記載の自動ドアシステム。
【請求項５】
前記可動ドアに前記可動ドアの太陽電池に接続された可動側電気接点を設けるとともに、前記可動ドアが閉じられているときに前記可動側電気接点に接触する固定側電気接点を所定部分に設けて、前記固定側電気接点を前記バッテリに接続した請求項４に記載の自動ドアシステム。
【請求項６】
前記固定ドアの太陽電池から突出する配線を前記バッテリ側に延ばすための配線通路を前記固定ドア本体に形成した請求項１ないし５のうちのいずれか一つに記載の自動ドアシステム。
【発明の詳細な説明】
【技術分野】
【０００１】
本発明は、駆動電源として太陽電池を用いた自動ドアシステムに関する。
【背景技術】
【０００２】
従来から、太陽電池を用いて発電した電力を用いることが種々の装置において行われているが、自動ドアにおいては、近年においても商用電源が用いられている。一方、ドアの中には、太陽電池を設けることにより、発電可能になったものも開発されている（例えば、特許文献１参照）。このドアは、枠体に設けられるガラスまたはアルミ板の一部または全部を太陽電池に置き換えるとともに、太陽電池に電源コントローラを設け、太陽電池で発電された直流電力を電源コントローラで調整し、コンセントまたは出力コネクタ端子を介して種々の電気器具などで使用できるようにしている。
【先行技術文献】
【特許文献】
【０００３】
【特許文献１】特開２００４−３６０４２１号公報
【発明の概要】
【０００４】
しかしながら、前述した従来のドアで用いられる太陽電池は、発電量が少ないためドア自体は手動で開閉するようになっている。
【０００５】
本発明は、前述した問題に対処するためになされたもので、その目的は、ドアに設けられた太陽電池の発電でドアの開閉を行うことができる自動ドアシステムを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る自動ドアシステムの構成上の特徴は、建造物の壁面部（Ａ）に形成された開口（Ａ’）に設置されて出入口を形成する自動ドアシステム（１０）であって、受光面を有する複数のセル（２１，３３）を備えた太陽電池（２０，２０ａ，６０）と、太陽電池を支持する固定ドア本体（１２ｄ，１３ｄ）を備え、開口の一方に設置される固定ドア（１２，１３，６２）と、固定ドアに対して進退することにより出入口を開閉する可動ドア（１４，１５，４４，４５）と、可動ドアを移動させる駆動機構（２６）と、太陽電池が発生する電気を充電しその充電した電気を駆動機構の駆動電力として供給するバッテリ（３２）とを備え、太陽電池が、受光面を固定ドアの前方に対して傾斜させた状態で固定ドア本体に設置されていることにある。
【０００７】
本発明に係る自動ドアシステムでは、出入口に設けられるドアを固定ドアと可動ドアで構成して、固定ドアに複数のセルを備えた太陽電池を配置し、この太陽電池が発生する電気を利用して可動ドアを移動させて出入口を開閉するようにしている。また、太陽電池の各セルは、受光面を固定ドアの前方に対して傾斜させた状態で配置されるため、太陽光を取り込み易くすることができる。このセルの受光面は、自動ドアシステムが設置される場所に応じて、傾斜の方向や角度を任意に設定することができ、これによって、効率のよい発電が可能になる。
【０００８】
セルの受光面の傾斜の方向としては種々の方向にすることができるが、固定ドアの前方に対して水平方向よりも上方または左右方向に傾斜させることが好ましい。セルの受光面を固定ドアの前方に対して水平方向よりも上方に向けた場合には、上方に位置する太陽の光を受けやすくなる。また、自動ドアシステムが南向きに設置されている場合に、セルの受光面を固定ドアの前方に対して左側に向けた場合には午前に太陽の光を受けやすくなり、セルの受光面を固定ドアの前方に対して右側に向けた場合には午後に太陽の光を受けやすくなる。さらに、固定ドアに複数の太陽電池を設ける場合には、各太陽電池のセルの受光面を交互に左右に向けて配置することもできる。また、各太陽電池のセルの受光面をそれぞれ異なる方向に傾斜させて時間帯に応じて太陽光の受光量が各太陽電池によって異なるようにすることもできる。
【０００９】
本発明に係る自動ドアシステムの他の構成上の特徴は、太陽電池を、複数のセルの少なくとも受光面を透明の保護材（２２ａ，２２ｂ，３４ａ，３４ｂ）で被覆して構成したことにある。
【００１０】
本発明によると、複数のセルの少なくとも受光面が破損することを防止できる。また、固定ドア本体の表面に、太陽電池を保護するためのガラス等の保護材を設けなくても済むようになる。さらに、太陽電池を、透明の保護材に複数のセルを配置して構成したため、セル以外の部分は透けて見えるようになり、固定ドアはデザイン的にも優れたものになる。この場合の保護材は、ガラスや樹脂製の板で構成することができ、二枚一組にして二枚の保護材の間に各セルを配置してもよいし、一枚で構成してもよい。保護材を一枚の板で構成する場合には、外側に配置してセルを外部から保護できるようにする。
【００１１】
本発明に係る自動ドアシステムのさらに他の構成上の特徴は、固定ドアと可動ドアの上部と、開口の上縁部との間に駆動機構を配置する駆動機構配置部（１７）を設けて、駆動機構配置部の外面（１６ａ）に太陽電池を設置したことにある。
【００１２】
自動ドアシステムには、可動ドアを移動させるためのモータやレールからなる駆動機構が必要であるが、本発明では、この駆動機構を配置する駆動機構配置部を固定ドアと可動ドアの上部に位置する、いわゆる無目に設けて、無目の外面に太陽電池を設置している。このため、外部から見ると無駄なスペースと思える無目の外面を太陽電池を配置するためのスペースとして有効利用することができ、発電量も増加する。本発明では、無目の外面に配置される太陽電池を構成する各セルは、受光面を水平方向に向けてもよいし、上方や左右方向に傾斜させてもよい。なお、本発明において外面とは建造物の外側に向かった面である。
【００１３】
本発明に係る自動ドアシステムのさらに他の構成上の特徴は、可動ドア（４４，４５）を、太陽電池と、この太陽電池を支持する可動ドア本体で構成したことにある。
【００１４】
本発明によると、固定ドアだけでなく、可動ドアにも太陽電池を設けたため、さらに発電量を増加させることができる。本発明に係る可動ドアにおいても、太陽電池を構成する各セルは、受光面を水平方向に向けてもよいし、上方や左右に傾斜させてもよい。
【００１５】
本発明に係る自動ドアシステムのさらに他の構成上の特徴は、可動ドアに可動ドアの太陽電池に接続された可動側電気接点（４８ｄ，５８ｃ）を設けるとともに、可動ドアが閉じられているときに可動側電気接点に接触する固定側電気接点（４７ｃ，５７ｃ）を所定部分に設けて、固定側電気接点をバッテリに接続したことにある。
【００１６】
本発明によると、可動ドアに設けられた可動側電気接点と固定側電気接点の間に配線を設けることなく、可動ドアに設置された太陽電池が発生する電気をバッテリに充電することができる。このため、太陽電池を設けることによって、可動ドアの移動に配線による支障が生じることはない。なお、可動側電気接点は、可動ドアが閉じるときに移動する方向に向いた状態で可動ドアの所定部分に設けられ、固定側電気接点は、可動側電気接点に対向した状態で、固定ドアと可動ドアを支持する躯体部分に設けられる。
【００１７】
本発明に係る自動ドアシステムのさらに他の構成上の特徴は、固定ドアの太陽電池から突出する配線をバッテリ側に延ばすための配線通路を固定ドア本体に形成したことにある。
【００１８】
固定ドアは、静止しているため配線を用いて太陽電池とバッテリを接続することが好ましい。そして、固定ドアに配線通路を形成して、配線を配線通路内に通すことにより配線をコンパクトに収容でき、配線に縺れや損傷が生じることを防止できる。また、建造物の壁面部に配線通路を形成する場合には、大掛かりな工事が必要になるが、本発明では、配線通路を固定ドア本体に形成するため、配線通路の形成が容易になる。
【図面の簡単な説明】
【００１９】
【図１】本発明の第１実施形態に係る自動ドアシステムを示した正面図である。
【図２】固定ドアと可動ドアを上方から見た状態を示した平面図である。
【図３】一方の固定ドアを示した断面図である。
【図４】太陽電池を示した正面図である
【図５】太陽電池の端子箱側部分を示した平面図である。
【図６】太陽電池をポケット部材に取り付ける状態を示した斜視図である。
【図７】駆動機構を示した斜視図である。
【図８】無目に取り付けられた太陽電池を示した断面図である。
【図９】無目に取り付けられた太陽電池の固定状態を示した断面図である。
【図１０】本発明の第２実施形態に係る自動ドアシステムに備わった可動ドアと接点装置を示した説明図である。
【図１１】接点装置の固定側接点部材を示した側面図である。
【図１２】接点装置の可動側接点部材を示した斜視図である。
【図１３】接点装置の変形例を示した説明図である。
【図１４】本発明の第３実施形態に係る自動ドアシステムに備わった固定ドアを示した斜視図である。
【発明を実施するための形態】
【００２０】
（第１実施形態）
以下、本発明の第１実施形態を図面を用いて説明する。図１は、本実施形態に係る自動ドアシステム１０を示している。この自動ドアシステム１０は、建造物の壁面部Ａに形成された開口Ａ’に設置されており、図１は、壁面部Ａの外部側から自動ドアシステム１０を見た状態を示している。以下の説明において、上下、前後、左右の各方向は、図１の方向に基づいたものとし、図１の手前側が前方、奥側が後方であるとする。自動ドアシステム１０は、開口Ａ’の内周面に沿って設置された支持枠１１に、一対の固定ドア１２，１３と、一対の可動ドア１４，１５と、無目１６を組み付けて構成されている。
【００２１】
支持枠１１は、開口Ａ’の左右両側に配置された立桟１１ａ，１１ｂと、開口Ａ’の上下両側に配置された横桟１１ｃ（図３参照），１１ｄと、立桟１１ａ，１１ｂの上部前部側に掛け渡された仕切り桟１１ｅとで構成されており、高さよりも横幅が長い矩形に形成されている。そして、横桟１１ｃの下部に左右に延びるスライド溝１１ｆ（図３参照）が形成され、横桟１１ｄの上面における後部に左右に延びるスライド溝１１ｇが形成されている。
【００２２】
固定ドア１２は、横桟１１ｄと仕切り桟１１ｅの間で、立桟１１ａに沿って左側に設置され、固定ドア１３は、横桟１１ｄと仕切り桟１１ｅの間で、立桟１１ｂに沿って右側に設置されている。可動ドア１４，１５は、図２（下側が前方で上側が後方）に示したように，固定ドア１２，１３よりも後方に配置されており、可動ドア１４は、横桟１１ｄと横桟１１ｃの間における中央部分と固定ドア１２の後面側との間でスライド溝１１ｆ，１１ｇに沿って移動可能に設置され、可動ドア１５は、横桟１１ｄと横桟１１ｃの間における中央部分と固定ドア１３の後面側との間でスライド溝１１ｆ，１１ｇに沿って移動可能に設置されている。
【００２３】
固定ドア１２は、図３に示したように、前面に配置された透明の強化ガラス１２ａを、支持枠１２ｃに固定して、内部に空間が箱状に形成された固定ドア本体１２ｄを形成し、その固定ドア本体１２ｄの内部に、６個の太陽電池２０を上下に設置して構成されている。太陽電池２０は、図４および図５に示したように、左右に配置されて直列に接続された５個のセル２１の表面と裏面に、高透過性の強化ガラスからなる板状の保護材２２ａ，２２ｂを一体に固定して本体部分が構成されている。そして、保護材２２ａ，２２ｂの右端部からセル２１に接続された配線２１ａ，２１ｂの先端部分を突出させて、その配線２１ａ，２１ｂの先端部分を、端子箱２３を介して外部に延ばしている。端子箱２３は、配線２１ａ，２１ｂを後面側から押し込んで内部に挿入できる溝穴２３ａが形成された略筒状に形成されており、溝穴２３ａの上下両端からそれぞれ配線２１ａ，２１ｂを突出させている。
【００２４】
固定ドア本体１２ｄの支持枠１２ｃには、図６に示した一対のポケット部材２４，２５が、対向して左右に配置されており、この一対のポケット部材２４，２５は、上下に６組取り付けられている。ポケット部材２４は、右側と上下が開放された断面形状がコ字状の位置決め部２４ａの下端部に落下防止用のフタ２４ｂを固定して構成されている。ポケット部材２５は、位置決め部２４ａと左右対称に配置される位置決め部２５ａとその下端部に固定されたフタ２５ｂで構成されており、位置決め部２５ａの右側面には上下に間隔をおいて２つの線通穴２５ｃ，２５ｄが形成されている。位置決め部２４ａ，２５ａは、それぞれ内部に太陽電池２０の左右の端部を挿し込める大きさに形成され、線通穴２５ｃ，２５ｄの間隔は、端子箱２３の上下方向の長さよりも少し長くなっている。このポケット部材２４，２５は、ステンレス鋼、スチール、アルミニウムなどの金属からなっており、支持枠１２ｃの色と同じ色またはその色と調和のとれる色が施されている。
【００２５】
そして、ポケット部材２４は、支持枠１２ｃの左側部に上下に等間隔でビスによって固定され、ポケット部材２５は、支持枠１２ｃの右側部に上下に等間隔でビスによって固定されている。対向する各一対のポケット部材２４，２５は、それぞれ下部が前方に位置し、上部が後方に位置するように傾斜した状態で支持枠１２ｃに固定されている。６個の太陽電池２０は、それぞれ一対のポケット部材２４，２５に支持された状態で固定ドア本体１２ｄに組み込まれる。この場合、図６に矢印で示したように、太陽電池２０を上方からポケット部材２４，２５に近づける。
【００２６】
そして、配線２１ｂをポケット部材２５の内部側から線通穴２５ｄに通し、太陽電池２０をポケット部材２４，２５に挿し込んだのちに、配線２１ａをポケット部材２５の内部側から線通穴２５ｃに通す。これによって、太陽電池２０は、ポケット部材２４，２５に支持される。ついで、太陽電池２０とポケット部材２４，２５をコーキング材で固定する。この状態では、配線２１ａ，２１ｂは、ポケット部材２５に覆われて見えなくなる。他の太陽電池２０も同様にして、ポケット部材２４，２５に取り付けることにより、図３に示した固定ドア１２が得られる。
【００２７】
この場合、各太陽電池２０の傾斜角度は、垂直に対して３０度程度傾斜しており、各太陽電池２０の間隔は、太陽電池２０に対して太陽光が直交して当たる場合に、下側に位置する太陽電池２０のセル２１に上側に位置する太陽電池２０のセル２１の影がかからないようになっている。また、図示は省略するが、固定ドア本体１２ｄの右側には、ポケット部材２５から引き出された配線２１ａ，２１ｂを通す配線通路が形成されており、各太陽電池２０の配線２１ａ，２１ｂは、配線通路内で上方に延びている。
【００２８】
固定ドア１３は、固定ドア１２と同様、前面に配置された透明の強化ガラス１３ａを、支持枠１３ｃに固定して、内部に空間が形成された固定ドア本体１３ｄを形成し、その固定ドア本体１３ｄの内部に、太陽電池２０を設置して構成されているが、太陽電池２０を構成するセル２１および太陽電池２０の個数がそれぞれ固定ドア１２とは異なっている。固定ドア１３は、固定ドア１２と同じ大きさに形成され、固定ドア１３の太陽電池２０には６個のセル２１が備わり、固定ドア１３には上下に配置された１２個の太陽電池２０が備わっている。このため、固定ドア１３の太陽電池２０およびその太陽電池２０に備わったセル２１は、固定ドア１２の太陽電池２０およびその太陽電池２０に備わったセル２１よりも小型に形成されている。また、固定ドア１３の太陽電池２０は、垂直に近い２〜１０度程度傾斜している。固定ドア１３のそれ以外の部分の構成や組付け方法は固定ドア１２と同じであるため、説明は省略する。
【００２９】
可動ドア１４は、透明の強化ガラス１４ａを支持枠１４ｂに固定して構成され、可動ドア１５は、透明の強化ガラス１５ａを支持枠１５ｂに固定して構成されている。この可動ドア１４，１５は、無目１６の内部に設けられた上レール（図示せず）に支持された状態で、駆動機構２６（図７参照）の作動によって、互いに接近したり離れたりする。無目１６の内部には、図７に示したように空間からなる駆動機構配置部１７が形成されており、この駆動機構配置部１７に駆動機構２６が配置されている。駆動機構２６は、モータ２６ａ、駆動プーリ２６ｂ、ガイドプーリ２６ｃ、ベルト２６ｄ、起動センサ２９およびコントローラ３０を備えている。
【００３０】
図７は、建造物の内部側から駆動機構配置部１７を見た状態を示しており、モータ２６ａは、図７の状態で、駆動機構配置部１７の右端側に配置されており、回転軸（図示せず）を左側に突出させている。このモータ２６ａは正逆反転可能に回転する。また、駆動プーリ２６ｂは、モータ２６ａの左側近傍に取り付けられて、所定の歯車を介してモータ２６ａの回転軸に転結されている。このため、モータ２６ａの作動に応じて駆動プーリ２６ｂは回転する。ガイドプーリ２６ｃは、駆動機構配置部１７の左端側に配置され、駆動プーリ２６ｂとの間に、ベルト２６ｄが掛け渡されている。このため、駆動プーリ２６ｂの回転力がベルト２６ｄを介してガイドプーリ２６ｃに伝わり、ガイドプーリ２６ｃは駆動プーリ２６ｂと同じ方向に回転する。
【００３１】
ベルト２６ｄの下方に位置する部分は連結部２７によって可動ドア１４に連結され、ベルト２６ｄの上方に位置する部分は連結部２８によって可動ドア１５に連結されている。連結部２７は、ベルト２６ｄの下方に位置する部分に固定されて下方に延びる連結片２７ａと、可動ドア１４の上端部の左右に取り付けられた一対のドアハンガ２７ｂと、一対のドアハンガ２７ｂに掛け渡された一対の連結棒２７ｃとで構成されており、連結片２７ａの下端部は一対の連結棒２７ｃに固定されている。連結部２８は、連結部２７と同様、連結片２８ａと、一対のドアハンガ２８ｂと、一対の連結棒２８ｃとで構成されている。連結片２８ａは、ベルト２６ｄの上下の幅分、連結片２７ａよりも上下方向の長さが長くなって上端部がベルト２６ｄの上部に位置する部分に固定され、一対のドアハンガ２８ｂは可動ドア１５の上端部の左右に取り付けられている。そして、連結片２８ａの下端部は一対の連結棒２７ｃに固定されている。
【００３２】
このため、モータ２６ａの作動により、ベルト２６ｄが、図７の状態から反時計周り方向に回転すると、可動ドア１４は右側に移動し、可動ドア１５は左側に移動する。これによって、可動ドア１４，１５の間に出入口が開口する。また、その状態からモータ２６ａが反転してベルト２６ｄが時計周り方向に回転すると、可動ドア１４は左側に移動し、可動ドア１５は右側に移動する。これによって、出入口は閉じられる。起動センサ２９は、駆動機構配置部１７の中央に設置され、可動ドア１４，１５の近傍に人が近づいたときに、その人を検知する。
【００３３】
コントローラ３０は、起動センサ２９が人を検知したときに、モータ２６ａの作動を制御して可動ドア１４，１５を開閉させる制御装置であり、ＣＰＵ、ＲＯＭ、ＲＡＭおよびタイマを備えている。ＲＯＭには、ＣＰＵが実行するためのプログラムが記憶され、ＲＡＭには、ＣＰＵによるプログラムの実行時に使用される各種のデータが記憶される。ＣＰＵは、ＲＯＭに記憶されたプログラムやＲＡＭに記憶されたデータにしたがって、モータ２６ａの作動を制御する。また、コントローラ３０には、配線３１を介してバッテリ３２が接続されている。このバッテリ３２には、固定ドア１２，１３から延びてくる配線２１ａ，２１ｂも接続されており、固定ドア１２，１３の太陽電池２０が発生する電気が充電される。
【００３４】
無目１６の外面１６ａは、図８に示したように、上部よりも下部が前方に位置する庇状の傾斜面に形成されている。そして、外面１６ａの左右にそれぞれ太陽電池２０ａが設置されている。太陽電池２０ａは、８個のセル３３の表面と裏面に、高透過性の強化ガラスからなる保護材３４ａ，３４ｂ（図９参照）を一体に固定して構成されている。また、外面１６ａには、２個の太陽電池２０ａを取り付けるための２つの窓穴３５が形成されている。太陽電池２０ａの窓穴３５への設置は、図９に示したように、支持部材３６を用いて行われる。支持部材３６は、浅い凹部を備えた箱状の支持部３６ａの開口縁部に外側に延びるフランジ状の固定片３６ｂを形成して構成されており、内部に太陽電池２０ａを余裕を持って収容できる大きさに形成されている。
【００３５】
そして、まず、支持部材３６の底面の中央に太陽電池２０ａを設置して、支持部材３６の周側部と太陽電池２０ａの間に厚みが５ｍｍ程度の角ゴム３７を押し込む。太陽電池２０ａの保護材３４ａ，３４ｂは、この角ゴム３７によって、割れを防止される。つぎに、角ゴム３７の上にガラスシール３７ａを充填して太陽電池２０ａを固定する。そして、太陽電池２０ａが固定された支持部材３６を、外面１６ａの内側から窓穴３５に合わせ、固定片３６ｂを溶接によって外面１６ａに固定する。これによって、太陽電池２０ａは、受光面を外部に向けた状態で外面１６ａに取り付けられる。この太陽電池２０ａの傾斜角度も垂直に対して３０度程度に設定されている。
【００３６】
また、無目１６における外面１６ａの下方には、点検用開口３８が形成され、点検用開口３８に点検蓋３８ａが着脱可能に設けられている。なお、図示は省略するが、支持部材３６には線通穴が形成されており、太陽電池２０ａから延びる配線は、この線通穴を通ってバッテリ３２に接続される。配線をバッテリ３２に接続する作業は、点検用開口３８を開けた状態で行われる。
【００３７】
以上のように、自動ドアシステム１０を構成したため、固定ドア１２，１３の太陽電池２０および無目１６の外面１６ａに設置された太陽電池２０ａが発生する電気をバッテリ３２に充電させて、その電気をモータ２６ａの駆動電力として用いることができる。これによって、自動ドアシステム１０を適正な状態で作動させることができる。なお、コントローラ３０には、商用電源も接続されており、諸事情により、バッテリ３２の充電量が不足している場合には、商用電源に切り換えられる。
【００３８】
このように、本実施形態に係る自動ドアシステム１０では、出入口に設けられるドアを左右両側に配置された固定ドア１２，１３と、固定ドア１２，１３に対して進退することにより出入口を開閉する可動ドア１４，１５で構成して、固定ドア１２，１３にそれぞれ太陽電池２０を設置している。また、無目１６の外面１６ａにも太陽電池２０ａを設置している。そして、太陽電池２０，２０ａが発生する電気をモータ２６ａの駆動電力として用いて可動ドア１４，１５を移動させて出入口を開閉するようにしている。
【００３９】
また、太陽電池２０，２０ａの各セル２１，３３は、受光面を自動ドアシステム１０の前方に対して上方に傾斜させた状態で配置されているため、太陽光を取り込み易くなる。また、固定ドア１２，１３に対して進退する可動ドア１４，１５は建造物の内部と外部を遮断できる板状のものであればよいため軽量することができる。このため、太陽電池２０，２０ａは効率よく発電し、可動ドア１４，１５は少ない電力で開閉するようになる。この結果、自動ドアシステム１０は安定して作動するようになる。
【００４０】
また、太陽電池２０，２０ａを、複数のセル２１，３３の表裏両面を保護材２２ａ，２２ｂ，３４ａ，３４ｂで被覆して構成しているため、セル２１，３３が破損することを防止できる。さらに、無目１６の外面１６ａに太陽電池２０ａを設置したことにより、無目１６の外面１６ａを有効利用することができる。また、太陽電池２０から突出する配線２１ａ，２１ｂを通す配線通路を固定ドア本体１２ｄ，１３ｄに形成したため、大掛かりな工事をすることなく配線２１ａ，２１ｂをコンパクトに収容できる。さらに、太陽電池２０，２０ａのセル２１，３３が表面に透けて見えるため、固定ドア１２，１３はデザイン的にも優れたものになる。
【００４１】
（第２実施形態）
図１０は、本発明の第２実施形態に係る自動ドアシステムの要部を示している。この自動ドアシステムでは、一対の可動ドア４４，４５にそれぞれ太陽電池（図示せず）が設置されており、この太陽電池が発生する電気は接点装置４６を介してバッテリに供給される。可動ドア４４，４５にそれぞれ設置された太陽電池は、垂直に配置されて受光面を前方に向けており、これによって可動ドア４４，４５の厚みの増加を最小限にしている。また、接点装置４６は、可動ドア４４，４５の上方に設けられた上レール４１に固定された固定側接点部材４７と、可動ドア４４に固定された可動側接点部材４８と、可動ドア４５に固定された可動側接点部材４９で構成されている。
【００４２】
固定側接点部材４７は、図１１に示したように、矩形ブロック状の本体４７ａの裏面上部に、側方視がＬ形のフック４７ｂを設けて構成されており、本体４７ａの左右両側面の下部に電気接点４７ｃが形成されている。また、本体４７ａの上部側中央には前後に貫通するねじ穴４７ｄが形成されている。固定側接点部材４７は、フック４７ｂを上方から上レール４１に引っ掛け、ねじ穴４７ｄにねじ４７ｅを螺合させ、その先端を上レール４１の前面に押し付けることにより固定されている。
【００４３】
可動側接点部材４８は、図１２に示したように、四角板状の固定片４８ａと、固定片４８ａの上面に固定され右側が開口した四角箱状の本体４８ｂと、本体４８ｂの内部と外部との間で進退可能になった接点形成部４８ｃからなっており、接点形成部４８ｃの先端面で電気接点４８ｄが構成されている。この可動側接点部材４８は、電気接点４８ｄを固定側接点部材４７の左側の電気接点４７ｃに対向させた状態で、可動ドア４４の上端面における右側部分に固定片４８ａをねじ（図示せず）で固定することにより取り付けられている。
【００４４】
可動側接点部材４９は、可動側接点部材４８と同じ構成をしており、電気接点を固定側接点部材４７の右側の電気接点４７ｃに対向させた状態で、可動ドア４５の上端面における左側部分に取り付けられている。なお、接点装置４６は無目１６の後面に設けられるカバー（図示せず）によって覆われて外部からは見えなくなっている。この自動ドアシステムでは、可動ドア４４，４５が閉じているときに、接点装置４６が接続状態になってバッテリが充電される。
【００４５】
第２実施形態に係る自動ドアシステムのそれ以外の部分の構成は、前述した自動ドアシステム１０と同一である。この第２実施形態に係る自動ドアシステムによると、固定ドア１２，１３や無目１６に加えて、可動ドア４４，４５にも太陽電池を設けたため、さらに発電量を大きくすることができる。また、可動ドア４４，４５に設置された太陽電池とバッテリの接続を、接点装置４６を用いて行うため、可動ドア４４，４５の移動に配線による支障が生じることはない。この第２実施形態に係る自動ドアシステムのそれ以外の作用効果は、前述した自動ドアシステム１０と同様である。また、第２実施形態の変形例として、太陽電池を上方に傾斜させて受光面が斜め上方を向くようにすることもできる。
【００４６】
図１３に、前述した接点装置４６の変形例を示している。この変形例に係る接点装置５６は、上レール４１に固定される固定側接点部材５７と、可動ドア４４，４５にそれぞれ固定される可動側接点部材５８（一方しか図示せず）で構成されている。固定側接点部材５７は、上部（図示省略）が前述した固定側接点部材４７の上部と同様の構成をしており、その下部に筒状の接点形成部５７ａが形成されている。そして、接点形成部５７ａの内周面に電気接点５７ｃが形成されている。可動側接点部材５８は、四角板状の固定片５８ａの上面に矩形ブロック状の本体５８ｂを形成し、本体５８ｂの右側面から棒状の電気接点５８ｃを突出させて構成されている。
【００４７】
もう一方の可動側接点部材も可動側接点部材５８と同じもので構成され、可動側接点部材５８と左右対称に配置されて可動ドア４５に取り付けられる。この接点装置５６では、可動ドア４４，４５が閉じているときに、電気接点５８ｃが接点形成部５７ａの内部に入ることにより、接点装置５６が接続状態になってバッテリが充電される。この接点装置５６を用いた場合も、前述した第２実施形態に係る自動ドアシステムと同様の作用効果を得ることができる。
【００４８】
（第３実施形態）
図１４は、本発明の第３実施形態に係る自動ドアシステムに備わった固定ドア６２を示している。この固定ドア６２では、太陽電池６０が左右方向でなく、上下方向に配置されており、上下方向に配置された６列の太陽電池６０が左右に配置されている。また、各太陽電池６０は交互に左右に傾斜して配置されており隣り合った２個の太陽電池６０の横断面は、Ｖ形に形成されている。各太陽電池６０の傾斜角度は、固定ドア６２の前面に対して３０度程度に設定されている。また、ポケット部材６４，６５は、支持枠６２ｃの上下にそれぞれ取り付けられ、太陽電池６０の配線（図示せず）を通す配線通路は、支持枠６２ｃの上部に設けられている。
【００４９】
この固定ドア６２のそれ以外の部分の構成は、前述した固定ドア１２，１３と同一である。なお、第３実施形態に係る自動ドアシステムにも一対の固定ドアが備わっており、もう一方の固定ドアも固定ドア６２と同様に構成されている。また、第３実施形態に係る自動ドアシステムの固定ドア６２以外の部分の構成は、前述した自動ドアシステム１０と同一である。
【００５０】
第３実施形態に係る自動ドアシステムによると、固定ドア６２に対して東から西に移動する太陽の位置に応じて受光し易い太陽電池６０が代わっていくため、太陽電池６０全体としては、バラつきの少ない平均した受光が可能になる。このため、太陽の位置に関係なく効率のよい発電が可能になる。また、太陽電池６０を上下方向に配置したことにより、デザインがさらに興趣に富むものとなる。第３実施形態に係る自動ドアシステムのそれ以外の作用効果は、前述した自動ドアシステム１０と同様である。この第３実施形態に係る自動ドアシステムの変形例として、前述した第２実施形態のように、可動ドアに太陽電池を設置してもよい。この場合の太陽電池は垂直に設置してもよいし、傾斜させて設置してもよい。
【００５１】
本発明に係る自動ドアシステムは、前述した各実施形態や変形例に限定するものでなく、適宜変更して実施することが可能である。例えば、前述した実施形態では、固定ドアと可動ドアをそれぞれ一対としているが、固定ドアと可動ドアをそれぞれ一つにして自動ドアシステムを構成してもよい。また、太陽電池２０，２０ａ等の傾斜角度は、任意に設定でき、例えば、垂直に対して、２〜６０度程度にできるが、傾斜角度が大きくなるとドアの厚みが増加することと、受光量とを考慮すると、３０度程度に設定することが好ましい。さらに、太陽電池２０，２０ａ等は、自動ドアシステムが設置される方向に応じて受光し易い任意の向きに設置することができる。
【００５２】
前述した第１実施形態では、固定ドア１３の太陽電池２０も傾斜させているが、この太陽電池２０は垂直に配置してもよい。また、前述した実施形態では、固定ドア１２，１３等の前面に、強化ガラス１２ａ，１３ａ等を設けているが、防犯上問題のない場所に自動ドアシステム１０等を設置する場合には、強化ガラス１２ａ，１３ａ等は省略することができる。さらに、太陽電池２０，２０ａ等の裏面の保護材２２ｂ，３４ｂは省略することができ、太陽電池が強化ガラス等で保護される場合には、表面の保護材２２ａ，３４ａも省略することができる。また、太陽電池の保護材としては板状の部材に限らず、セル２１等を内部に埋め込める樹脂材料で構成することもできる。
【００５３】
前述した第２実施形態では、可動ドア４４，４５の太陽電池が発生する電気をバッテリに充電するために、接点装置４６，５６を用いているが、この接点装置４６，５６に代えて、摺接することにより常時接続される接点装置を用いることもできる。これによると、可動ドア４４，４５の太陽電池が発生する電気を常時バッテリに充電することができる。また、太陽電池２０ａの取付けを支持部材３６を用いて行っているが、この太陽電池２０ａもポケット部材を用いてスライドさせることにより無目１６の外面１６ａに取り付けることができる。さらに、太陽電池２０，２０ａ等を回転可能に設置して、任意の角度に調節することもできる。
【符号の説明】
【００５４】
１０…自動ドアシステム、１２，１３，６２…固定ドア、１２ｄ，１３ｄ…固定ドア本体、１４，１５，４４，４５…可動ドア、１６ａ…外面、１７…駆動機構配置部、２０，２０ａ，６０…太陽電池、２１，３３…セル、２１ａ，２１ｂ…配線、２２ａ，２２ｂ，３４ａ，３４ｂ…保護材、２６…駆動機構、３２…バッテリ、４７ｃ，４８ｄ，５７ｃ，５８ｃ…電気接点、Ａ…壁面部、Ａ’…開口。
【図１】
2015113559.tif 000003
【図２】
2015113559.tif 000004
【図３】
2015113559.tif 000005
【図４】
2015113559.tif 000006
【図５】
2015113559.tif 000007
【図６】
2015113559.tif 000008
【図８】
2015113559.tif 000009
【図９】
2015113559.tif 000010
【図１０】
2015113559.tif 000011
【図１１】
2015113559.tif 000012
【図１２】
2015113559.tif 000013
【図１３】
2015113559.tif 000014
【図７】
2015113559.tif 000015
【図１４】
2015113559.tif 000016